(57)【要約】導体板と、前記導体板端部近傍に配置された少なくとも２つのアンテナ素子と、前記導体板に形成された特性インピーダンスが任意の値Ｚ１である第１スロットラインと、前記導体板に形成された特性インピーダンスがＺ１よりも大きい任意の値Ｚ２である第２スロットラインとを具備し、前記第１スロットラインの一端が前記導体板端部のうち前記アンテナ素子の間の領域で開口端となっており、前記第１スロットラインの他の一端が前記第２スロットラインの一端に連結し、前記第２スロットラインの他の一端は前記導体板内部で短絡されていること、を特徴とするアンテナ装置およびこれを用いた無線端末装置である。
2013140770.tif 000002
【特許請求の範囲】
【請求項１】
導体板と、前記導体板端部近傍に配置された少なくとも２つのアンテナ素子と、前記導体板に形成された特性インピーダンスが任意の値Ｚ１である第１スロットラインと、前記導体板に形成された特性インピーダンスがＺ１よりも大きい任意の値Ｚ２である第２スロットラインとを具備し、前記第１スロットラインの一端が前記導体板端部のうち前記アンテナ素子の間の領域で開口端となっており、前記第１スロットラインの他の一端が前記第２スロットラインの一端に連結し、前記第２スロットラインの他の一端は前記導体板内部で短絡されていること、を特徴とするアンテナ装置。
【請求項２】
前記第１スロットラインの幅よりも、前記第２スロットラインの幅の方が広いことを特徴とする、請求項１に記載のアンテナ装置。
【請求項３】
前記第１スロットラインを形成する、対向する前記導体板端部近傍の領域Ａ、Ｂそれぞれの近傍に、さらに少なくとも一部が対向する導体部Ａ１、Ｂ１を有し、前記導体部Ａ１、Ｂ１はそれぞれ前記導体板端部の領域Ａ、Ｂに連結しており、前記導体部Ａ１、Ｂ１同士は連結していないことを特徴とする、請求項１または２に記載のアンテナ装置。
【請求項４】
前記第１スロットラインの空隙部に、さらに、前記第１スロットライン空隙部の実効的な誘電率よりも大きい誘電率を有する物質を、少なくとも一部充填することを特徴とする、請求項１から３のいずれか一項に記載のアンテナ装置。
【請求項５】
前記第２スロットラインの空隙部及び前記導体板を除く近傍の空間に、さらに、前記第２スロットラインの空隙部の実効的な透磁率よりも大きい透磁率を有する物質を、少なくとも一部充填することを特徴とする、請求項１から４のいずれか一項に記載のアンテナ装置。
【請求項６】
前記導体板が誘電体基板上に設けられたことを特徴とする、請求項１から５のいずれか一項に記載のアンテナ装置。
【請求項７】
前記誘電体基板内の、前記第２スロットラインの空隙部に重なる部分に、スルーホールを少なくとも一つ備えることを特徴とする、請求項１から６のいずれか一項に記載のアンテナ装置。
【請求項８】
前記第１、第２スロットラインのうち、少なくとも一部が、折れ曲がった形状であることを特徴とする、請求項１から７のいずれか一項に記載のアンテナ装置。
【請求項９】
前記第１スロットラインと、第２スロットラインとが、略同一とみなせる長さを持つことを特徴とする、請求項１から８のいずれか一項に記載のアンテナ装置。
【請求項１０】
請求項１から９のいずれか一項に記載のアンテナ装置を備える無線端末装置。
【発明の詳細な説明】
【技術分野】
【０００１】
本発明は、複数のアンテナ素子を有するアンテナ装置に関し、特に、アンテナ素子間の干渉を低減し、かつ省スペース化や小型化を図るアンテナ装置に関する。
【背景技術】
【０００２】
アンテナ装置として、複数のアンテナ素子によって同一の無線信号を別々に受信し、電波状況のより優れたアンテナ素子からの受信信号を優先的に用いることで、信号の伝送速度を向上させるようにしたダイバシティアンテナが知られている。また最近、アンテナ装置として、複数のアンテナ素子によって、同一周波数帯域内の複数の異なる無線信号を同時に送信あるいは受信することで、アンテナ素子の数だけ信号のチャネル数を増やし、信号の伝送速度を飛躍的に向上させるようにしたＭＩＭＯ（Ｍｕｌｔｉ−Ｉｎｐｕｔ  Ｍｕｌｔｉ−Ｏｕｔｐｕｔ）アンテナが注目されている。【０００３】
前記のダイバシティアンテナやＭＩＭＯアンテナを用いて無線通信を行う際には、複数のアンテナ素子が、できるだけ互いに低相関な状態にあることが望ましいとされる。しかしながら、無線装置や端末等に複数のアンテナ素子を搭載する際、装置や端末の大きさ、アンテナ素子に用いることのできるスペースの制約などにより、アンテナ素子間の距離を、受信する電磁波の波長に対して十分離すことができない場合が多くある。このとき、複数のアンテナ素子間の電磁干渉（アンテナ素子間干渉）により、低相関が実現できず、ダイバシティアンテナやＭＩＭＯアンテナの通信性能が劣化する、という課題があった。【０００４】
そこで、例えば、複数のアンテナ素子と給電点を通してつながるグランドパターンの端部のうち、複数のアンテナ素子の間の領域にあたる部分に、前記アンテナ素子の共振周波数に対応する波長の１／４の長さのスロットラインを形成することで、アンテナ素子間の干渉を低減させるようにしたアンテナ装置を備えた電子機器が知られている（特許文献１）。
【先行技術文献】
【特許文献】
【０００５】
【特許文献１】特開２００８−２８３４６４号公報
【発明の概要】
【発明が解決しようとする課題】
【０００６】
しかしながら、特許文献１に記載のアンテナにおいて、グランドパターンの端部にスロットラインを設けた場合、アンテナ素子の共振周波数に対応する波長の１／４の長さのスロットラインを形成する必要があるため、スロットラインの長さの分だけ、グランドパターン上に設置される各種素子の設置スペースが少なくなるという問題が生じていた。【０００７】
本発明は、上記の問題に鑑みてなされたものであり、その目的は、アンテナ素子間の干渉を低減することでアンテナ素子として一定の特性を保ちつつ、かつ省スペース化又は小型化を図れるアンテナ装置およびこれを用いた無線端末装置を提供することにある。
【課題を解決するための手段】
【０００８】
上記の目的を達成するための本発明の一様態は、導体板と、前記導体板端部近傍に配置された少なくとも２つのアンテナ素子と、前記導体板に形成された特性インピーダンスが任意の値Ｚ１である第１スロットラインと、前記導体板に形成された特性インピーダンスがＺ１よりも大きい任意の値Ｚ２である第２スロットラインとを具備し、前記第１スロットラインの一端が前記導体板端部のうち前記アンテナ素子の間の領域で開口端となっており、前記第１スロットラインの他の一端が前記第２スロットラインの一端に連結し、前記第２スロットラインの他の一端は前記導体板内部で短絡されていること、を特徴とするアンテナ装置およびこれを用いた無線端末装置である。
【発明の効果】
【０００９】
アンテナ素子の共振周波数に対応する波長の１／４の長さの線路長のスロットラインを形成する場合に比べて、第１スロットラインと第２スロットラインの合計の線路長の方が短い状態でアンテナ素子間の干渉を低減することができるため、アンテナ素子としての一定の特性を保ちつつ、かつ省スペース化又は小型化を図れるアンテナ装置、およびこれを用いた無線端末装置を提供することができる。
【図面の簡単な説明】
【００１０】
【図１】本発明の第１の実施の形態のアンテナ装置の構成を示す側面図である。
【図２】本発明の第１の実施の形態のアンテナ装置の構成を示す上面図である。
【図３】本発明の第１の実施の形態のアンテナ装置を搭載した無線端末装置の構成を示す斜視図である。
【図４】本発明の第１の実施の形態のアンテナ装置のＳ２１パラメータに関するシミュレーション結果を示す図である。
【図５】本発明の第１の実施の形態のアンテナ装置の構成を示す上面図である。
【図６】本発明の第２の実施の形態のアンテナ装置の構成を示す上面図である。
【図７】本発明の第２の実施の形態のアンテナ装置の導体部の構成を示す斜視図である。
【図８】本発明の第２の実施の形態のアンテナ装置の導体部の構成を示す斜視図である。
【図９】本発明の第２の実施の形態のアンテナ装置の導体部の構成を示す側面図である。
【図１０】本発明の第３の実施の形態のアンテナ装置の構成を示す側面図である。
【図１１】本発明の第３の実施の形態のアンテナ装置の構成を示す上面図である。
【図１２】本発明の第４の実施の形態のアンテナ装置の構成を示す上面図である。
【図１３】本発明の第５の実施の形態のアンテナ装置の構成を示す上面図である。
【発明を実施するための形態】
【００１１】
以下、図を参照しながら、本発明の実施の形態を詳細に説明する。但し、以下に述べる実施の形態には、本発明を実施するために技術的に好ましい限定がされているが、発明の範囲を以下に限定するものではない。
（第１の実施の形態）
図１は、本発明の第１の実施の形態のアンテナ装置の構成を示す側面図である。また、図２は、本発明の第１の実施の形態のアンテナ装置の構成を示す上面図である。本発明の第１の実施の形態に係るアンテナ装置１０は、図１のように、グランド板に当たる導体板１０１と、導体板１０１に厚み方向に重なる誘電体基板１１０を備える。ただし、層数をさらに増加させた多層基板状に構成されても構わない。そして、図２のように、アンテナ装置１０は、少なくとも二つのアンテナ素子１０２、１０３を備え、アンテナ素子１０２、１０３はそれぞれ導体板１０１の端部近傍に配置されおり、給電点１０２ａ及び１０３ａを通して導体板１０１との間に電位差を与えられ、給電される。
【００１２】
またさらに、アンテナ装置１０は、第１スロットライン１０４、第２スロットライン１０５を備えており、第２スロットラインの幅ｇ２は、第１スロットラインの幅ｇ１よりも広い。そして、第１スロットライン１０４の一端は、アンテナ素子１０２と１０３との間の領域に属する導体板１０１の端部にて開口端となっており、第１スロットライン１０４の他の一端は第２スロットライン１０５の一端に連結し、第２スロットライン１０５の他の一端は導体板１０１内部で短絡されている。
【００１３】
アンテナ装置１０は、例えばパーソナルコンピュータや携帯電話等の無線端末装置に内蔵することができる。図３は、アンテナ装置１０を搭載した無線端末装置６０の構成を示す斜視図である。図３のように、無線端末装置６０は、ボタンやディスプレイなどの各種部品を実装された筐体２０１を具備し、アンテナ装置１０は筐体２０１内に収容され、各種電子回路部品などが追加で実装されている。
【００１４】
以下、本発明の実施の形態の作用および効果について説明する。
【００１５】
導体板端部に配置された複数のアンテナ素子の間の領域にあたる導体板端部近傍に、導体板端部にて開放端となるスロットラインが構成されているとき、アンテナ素子間干渉が低減される。特許文献１に記載のスロットラインは、アンテナ素子の共振周波数に対応する電磁波の波長λに対してスロットラインの線路長をおよそλ／４の長さとし、一端を導体板内部で短絡することで導体板端部の一端を開放端とし、アンテナ素子間の干渉を低減させている。
【００１６】
一方、本発明の実施の形態においては、第１スロットライン１０４及び第２スロットライン１０５がステップドインピーダンス構造となっており、導体板１０１端部の開口端から見た第１スロットライン１０４及び第２スロットライン１０５の入力インピーダンスＺｓｔｅｐは、
2013140770.tif 000003
【００１７】
で表される。ただし、Ｚｓｌｏｔ１、Ｚｓｌｏｔ２はそれぞれ第１スロットライン１０４、第２スロットライン１０５の特性インピーダンス、ｌ１、ｌ２はそれぞれ第１スロットラインの長さｌ１、第２スロットラインの長さｌ２である。またβは、スロットラインを伝播する電磁波の伝播定数であり、式（２）で表される。
【００１８】
アンテナ素子１０２、１０３間の干渉を抑制するためには、導体板１０１端部にて第１スロットライン１０４の開口部が開放端となっていればよいことから、Ｚｓｔｅｐが、
2013140770.tif 000004
【００１９】
を満たせばよい。よって、式（１）及び式（３）より、
2013140770.tif 000005
【００２０】
となればよいことが分かる。
【００２１】
本実施の形態においては、第１スロットラインの幅ｇ１よりも、第２スロットラインの幅ｇ２の方が広いことから、Ｚｓｌｏｔ１＜Ｚｓｌｏｔ２となるので、式（４）の左辺は１より小さい値を取る。その結果、式（４）を満たすｌ１とｌ２の組み合わせのうち、全線路長ｌ１＋ｌ２が、λ／４よりも小さくなるような組み合わせが存在することになり、スロットラインの線路長の短縮が可能となる。
【００２２】
図４に、基板端の二つのアンテナ素子へ給電するポート間のＳ２１パラメータを、スロットラインがない場合、アンテナ素子の共振周波数の波長λのλ／４の長さのスロットラインがある場合、および、本発明の実施の形態のスロットラインがある場合の、それぞれにおいて電磁界シミュレーションを行った結果を示す。
【００２３】
電磁界シミュレーション時の各パラメータは以下の通りである。すなわち、導体板１０１は銅、誘電体基板１１０の誘電率は２．２、導体板及び誘電体基板の縦の長さＬは２０４ｍｍ、導体板及び誘電体基板の横の長さＷは２００ｍｍであり、導体板の厚さｄ１は３０μｍ、誘電体基板の厚さｄ２は１ｍｍである。また、アンテナ素子１０２、１０３は図２に示すような逆Ｆ形状のアンテナ素子を用いており、共振周波数は２．４ＧＨｚである。前記各アンテナ素子の給電点の間は６５ｍｍ離れており、λ／４長のスロットライン及び本実施の形態におけるスロットラインは、それぞれともに前記アンテナ素子間の略中央に配置した。
【００２４】
スロットラインの幅は、λ／４長のスロットラインが０．５ｍｍ、本実施の形態の第１スロットラインの幅ｇ１及び第２スロットラインの幅ｇ２が、それぞれ０．５ｍｍ、５ｍｍである。スロットラインの長さは、λ／４長のスロットラインが２６．２５ｍｍ、本実施の形態の第１スロットラインの長さｌ１及び第２スロットラインの長さｌ２がともに７．３５ｍｍである。
【００２５】
図４に示すとおり、λ／４長のスロットラインと本実施の形態のスロットラインにおけるＳ２１パラメータは、アンテナ素子の共振周波数２．４ＧＨｚにおいてほぼ同等である。よって、本発明の実施の形態のスロットラインでは、λ／４長のスロットラインに比べて、アンテナ素子間の結合を抑制するのに必要なスロットラインの全線路長を短くできていることが確認される。
【００２６】
以上により、本実施の形態においては、第１スロットライン１０４と第２スロットライン１０５の全線路長ｌ１＋ｌ２が、λ／４よりも小さい値でアンテナ素子間の干渉の抑制効果を得ることができる。よって、本実施の形態においては、アンテナ素子間の干渉を十分に低減させたアンテナ特性を得ることができ、かつ省スペース化又は小型化を図ることができる、アンテナ装置およびこれを用いた無線端末装置を実現することができる。
【００２７】
なお、式（４）の左辺に対して一般的に知られている相加平均と相乗平均の関係式を適用すると、
2013140770.tif 000006
【００２８】
が成り立つ。そして式（５）の第１項と第２項の間の等号が成り立つのは
2013140770.tif 000007
【００２９】
のときである。よって、このとき式（５）の第１項は最小値となり、同時に全線路長ｌ１＋ｌ２も最小値となる。ゆえに、式（４）及び式（６）を満たす構造が最も望ましい。ただし、本実施の形態においては、式（４）をおよそ満たせばよく、式（６）を満たす構造に限定しない。
【００３０】
またさらに、図５に示すように、第１スロットライン１０４、第２スロットライン１０５を、少なくとも一度、途中で折り曲げることで、スロットラインの、導体板１０１における内部方向への専有部分の長さをより短くした構造も可能である。図４は、本発明の第１の実施の形態のアンテナ装置の、変形例のアンテナ装置１０’を示す上面図である。この場合も、第１スロットライン１０４、第２スロットライン１０５の線路長と見なせる長さｌ１、ｌ２が、式（４）をほぼ満たせば、アンテナ素子間の干渉抑制効果が実現される。
【００３１】
以上のように、本発明の第１の実施の形態により、アンテナ素子の共振周波数に対応する波長の１／４の長さの線路長のスロットラインを形成する場合に比べて、第１スロットラインと第２スロットラインの合計の線路長の方が短い状態でアンテナ素子間の干渉を低減することができるため、アンテナ素子としての一定の特性を保ちつつ、かつ省スペース化又は小型化を図れるアンテナ装置、およびこれを用いた無線端末装置を提供することができる。
（第２の実施の形態）
図６は、本発明の第２の実施の形態のアンテナ装置２０の構造を示す上面図である。アンテナ装置２０は、第１スロットラインの幅ｇ１と第２スロットラインの幅ｇ２が等しくてもよい点と、スロットライン１０４を形成する対向する導体板端部近辺に、少なくとも一部が対向する導体部３０１ａ、及び、少なくとも一部が対向する導体部３０１ｂがさらに配置されている点とが、第１の実施の形態のアンテナ装置１０と異なる点であり、他の構成要素は同様である。
【００３２】
導体部３０１ａ及び３０１ｂの拡大斜視図を図７に示す。図７は、誘電体基板１１０側から導体部３０１ａ及び３０１ｂを斜視したものであり、簡単化のため、誘電体基板１１０を透明化している。導体部３０１ａ、及び３０１ｂは、誘電体基板１１０内に配置された、それぞれ少なくとも一つの導体ビア４０１ａ、４０１ｂで構成され、導体板１０１と連結しており、互いに対向している。
【００３３】
以下、第２の実施の形態の特徴である導体部３０１ａ及び３０１ｂの効果を説明する。導体部３０１ａ及び３０１ｂによって、第１スロットライン１０４においてのみ、スロットラインの対向する導体部の面積が増加するので、第１スロットライン１０４の特性インピーダンスＺｓｌｏｔ１が、第２スロットライン１０５の特性インピーダンスＺｓｌｏｔ２よりも低下する。よって、第１スロットライン１０４及び第２スロットライン１０５がステップドインピーダンス構造となり、式（４）の左辺が１より小さくなるので、第１の実施形態と同様の効果を得ることができる。
【００３４】
また、式（６）を満たすことでスロットラインの全線路長ｌ１＋ｌ２が最小値となる点や、第１スロットライン１０４、第２スロットライン１０５を途中で折り曲げて、全スロットラインの導体板１０１において内部方向に専有する長さを短くするような、図５に類似の構造が可能である点も、第１の実施の形態と同様である。
【００３５】
さらに、図８のように、導体ビア４０１ａ、４０１ｂの数を増やす、あるいは多層基板とすることで、導体ビア４０１ａ、４０１ｂの導体板１０１と連結する端部とは反対の端部に、導体ビア４０１ａ、４０１ｂを連結して対向させる導体板４０２ａ、４０２ｂを設ける構造が可能である。
【００３６】
さらにまた、図９に示すように、図７に示す構造に加え、導体板１０１に対して誘電体基板１１０とは厚み方向に反対側に重ねられた誘電体基板１２０内に、導体板１０１に連結し互いに対向する導体ビア４０３ａ、４０３ｂを設け、さらに導体板４０４ａ、４０４ｂを、それぞれ導体ビア４０３ａ、４０３ｂの導体板１０１と連結する端部とは反対の端部に連結させることで、導体部３０１ａ、３０１ｂ間の対向する導体の面積を大きくし、第１スロットライン１０４の特性インピーダンスＺｓｌｏｔ１をさらに小さくする構造が可能である。Ｚｓｌｏｔ１をより小さくすることで、式（４）の左辺の値をより小さくでき、これにより全線路長ｌ１＋ｌ２をより短くすることができる。
【００３７】
以上のように、本発明の第２の実施の形態により、アンテナ素子の共振周波数に対応する波長の１／４の長さの線路長のスロットラインを形成する場合に比べて、第１スロットラインと第２スロットラインの合計の線路長の方が短い状態でアンテナ素子間の干渉を低減することができるため、アンテナ素子としての一定の特性を保ちつつ、かつ省スペース化又は小型化を図れるアンテナ装置、およびこれを用いた無線端末装置を提供することができる。
（第３の実施の形態）
図１０は、本発明の第３の実施の形態のアンテナ装置３０の構造を示す側面図である。また、図１１は、本発明の第３の実施の形態のアンテナ装置３０の構造を示す上面図である。
アンテナ装置３０は、第１スロットラインの幅ｇ１と第２スロットラインの幅ｇ２が等しくてもよい点と、第２スロットライン１０５の空隙部に重なる誘電体基板１１０に、さらに少なくとも一つ以上のスルーホール５０１が形成される点とが、第１の実施の形態のアンテナ装置１０と異なる点であり、他の構成要素は同様である。
【００３８】
以下、本実施の形態の特徴である、スルーホール５０１の効果について説明する。スルーホール５０１により、第２スロットライン１０５の対向する導体部間の空間の、実効的な誘電率が低下し、その結果、第２スロットライン１０５の特性インピーダンスＺｓｌｏｔ２が、第１スロットライン１０４の特性インピーダンスＺｓｌｏｔ１より大きくなる。よって、第１スロットライン１０４及び第２スロットライン１０５がステップドインピーダンス構造となり、式（４）の左辺が１より小さくなるので、第１の実施の形態と同様の効果を得ることができる。
【００３９】
また、式（６）を満たすことでスロットラインの全線路長ｌ１＋ｌ２が最小値となる点や、第１スロットライン１０４、第２スロットライン１０５を途中で折り曲げて全スロットラインが導体板１０１において内部方向に専有する長さを短くするような、図５に類似の構造が可能である点も、第１の実施の形態と同様である。
【００４０】
以上のように、本発明の第３の実施の形態により、アンテナ素子の共振周波数に対応する波長の１／４の長さの線路長のスロットラインを形成する場合に比べて、第１スロットラインと第２スロットラインの合計の線路長の方が短い状態でアンテナ素子間の干渉を低減することができるため、アンテナ素子としての一定の特性を保ちつつ、かつ省スペース化又は小型化を図れるアンテナ装置、およびこれを用いた無線端末装置を提供することができる。
（第４の実施の形態）
図１２は、本発明の第４の実施の形態のアンテナ装置の構成を示す上面図である。
アンテナ装置４０は、第１スロットラインの幅ｇ１と第２スロットラインの幅ｇ２が等しくてもよい点と、スロットライン１０４の空隙部および近傍の空間のうち、導体板１０１を除く領域の少なくとも一部に、誘電体基板１１０の誘電率よりも大きい誘電率を有する誘電体部６０１が充填されている点とが、第１の実施の形態のアンテナ装置１０と異なる点であり、他の構成要素は同様である。
【００４１】
以下、誘電体部６０１の効果について説明する。誘電体部６０１により、第１スロットライン１０４を構成する対向する導体板１０１の端部間のキャパシタンスが増加する。そのため、第１スロットライン１０４の特性インピーダンスＺｓｌｏｔ１が、第２スロットライン１０５の特性インピーダンスＺｓｌｏｔ２より小さくなる。よって、第１スロットライン１０４及び第２スロットライン１０５がステップドインピーダンス構造となり、式（４）の左辺が１より小さくなるので、第１の実施の形態と同様の効果を得ることができる。
【００４２】
また、式（６）を満たすことでスロットラインの全線路長ｌ１＋ｌ２が最小値となる点や、第１スロットライン１０４、第２スロットライン１０５を途中で折り曲げて全スロットラインが導体板１０１において内部方向に専有する長さを短くするような、図５に類似の構造が可能である点も、第１の実施の形態と同様である。
【００４３】
以上のように、本発明の第４の実施の形態により、アンテナ素子の共振周波数に対応する波長の１／４の長さの線路長のスロットラインを形成する場合に比べて、第１スロットラインと第２スロットラインの合計の線路長の方が短い状態でアンテナ素子間の干渉を低減することができるため、アンテナ素子としての一定の特性を保ちつつ、かつ省スペース化又は小型化を図れるアンテナ装置、およびこれを用いた無線端末装置を提供することができる。
（第５の実施の形態）
図１３は、本発明の第５の実施の形態のアンテナ装置の構成を示す上面図である。アンテナ装置５０は、第１スロットラインの幅ｇ１と第２スロットラインの幅ｇ２が等しくてもよい点と、スロットライン１０５の空隙部および近傍の空間のうち、導体板１０１を除く領域の少なくとも一部に、誘電体基板１１０の透磁率よりも大きい透磁率を有する磁性体部７０１が充填されている点とが、第１の実施の形態に係るアンテナ装置１０と異なる点であり、他の構成要素は同様である。
【００４４】
以下、磁性体部７０１の効果について説明する。磁性体部７０１により、第２スロットライン１０５の伝送線路としてのシリーズインダクタンスが増加する。そのため、第２スロットライン１０５の特性インピーダンスＺｓｌｏｔ２が、第１スロットライン１０４の特性インピーダンスＺｓｌｏｔ１より大きくなる。よって、第１スロットライン１０４及び第２スロットライン１０５がステップドインピーダンス構造となり、式（４）の左辺が１より小さくなるので、第１の実施の形態と同様の効果を得ることができる。
【００４５】
また、式（６）を満たすことでスロットラインの全線路長ｌ１＋ｌ２が最小値となる点や、第１スロットライン１０４、第２スロットライン１０５を途中で折り曲げて全スロットラインが導体板１０１において内部方向に専有する長さを短くするような、図５に類似の構造が可能である点も、第１の実施の形態と同様である。
【００４６】
以上のように、本発明の第５の実施の形態により、アンテナ素子の共振周波数に対応する波長の１／４の長さの線路長のスロットラインを形成する場合に比べて、第１スロットラインと第２スロットラインの合計の線路長の方が短い状態でアンテナ素子間の干渉を低減することができるため、アンテナ素子としての一定の特性を保ちつつ、かつ省スペース化又は小型化を図れるアンテナ装置、およびこれを用いた無線端末装置を提供することができる。
【００４７】
なお、以上の第１、第２、第３、第４、第５の実施の形態は、その内容が相反しない範囲で組み合わせることができる。また、本発明は上記実施形態に限定されることなく、特許請求の範囲に記載した発明の範囲内で、種々の変形が可能であり、それらも本発明の範囲内に含まれるものであることはいうまでもない。
【００４８】
この出願は、２０１２年３月２２日に出願された日本出願特願２０１２−０６４７８９を基礎とする優先権を主張し、その開示の全てをここに取り込む。
【産業上の利用可能性】
【００４９】
本発明は、複数のアンテナ素子を有するアンテナ装置に関し、特に、アンテナ素子間の干渉を低減し、かつ省スペース化や小型化を図るアンテナ装置に関する。
【符号の説明】
【００５０】
１０、１０’、２０、３０、４０、５０    アンテナ装置
６０    無線端末装置
１０１    導体板
１０２、１０３    アンテナ素子
１０２ａ、１０３ａ    給電点
１０４    第１スロットライン
１０５    第２スロットライン
１１０、１２０    誘電体基板
２０１    筐体
３０１ａ、３０１ｂ    導体部
４０１ａ、４０１ｂ、４０３ａ、４０３ｂ    導体ビア（３０１ａ、３０１ｂに含まれる）
４０２ａ、４０２ｂ、４０４ａ、４０４ｂ    導体板（３０１ａ、３０１ｂに含まれる）
５０１    スルーホール
６０１    誘電体部
７０１    磁性体部
ｄ１    導体板の厚さ
ｄ２    誘電体基板の厚さ
Ｌ    導体板及び誘電体基板の縦の長さ
Ｗ    導体板及び誘電体基板の横の長さ
ｌ１    第１スロットラインの長さ
ｌ２    第２スロットラインの長さ
ｇ１    第１スロットラインの幅
ｇ２    第２スロットラインの幅
【図１】
2013140770.tif 000008
【図２】
2013140770.tif 000009
【図３】
2013140770.tif 000010
【図４】
2013140770.tif 000011
【図５】
2013140770.tif 000012
【図６】
2013140770.tif 000013
【図７】
2013140770.tif 000014
【図８】
2013140770.tif 000015
【図９】
2013140770.tif 000016
【図１０】
2013140770.tif 000017
【図１１】
2013140770.tif 000018
【図１２】
2013140770.tif 000019
【図１３】
2013140770.tif 000020
【国際調査報告】
2013140770.tif 000021
2013140770.tif 000022
2013140770.tif 000023
2013140770.tif 000024